(57)【要約】【課題】軽量性、設置作業性、剛性等のさらなる改良が可能で、しかも安価に作製可能な繊維強化樹脂からなる止水パネルと、その止水パネルの製造方法及びその止水パネルを用いた止水装置を提供する。【解決手段】水圧を受けるパネル面Ａと、前記パネル面Ａと間隔をもって対向配置された他方のパネル面Ｂとの間を複数の補強リブで連結した繊維強化樹脂からなる止水パネルであって、前記パネル面Ａおよび前記パネル面Ｂ少なくとも一方のパネル面が織物状繊維又は編物状繊維を含む繊維強化樹脂からなり、前記補強リブが一方向に引き揃えられた強化繊維を含む繊維強化樹脂からなるとともに、前記補強リブは前記パネル面Ａの垂直方向に対して５°〜４５°傾斜配置される止水パネルである。【選択図】図２
2019015033.tif 000002
【特許請求の範囲】
【請求項１】
水圧を受けるパネル面Ａと、前記パネル面Ａと間隔をもって対向配置された他方のパネル面Ｂとの間を複数の補強リブで連結した繊維強化樹脂からなる止水パネルであって、
前記パネル面Ａおよび前記パネル面Ｂ少なくとも一方のパネル面が織物状繊維又は編物状繊維を含む繊維強化樹脂からなり、前記補強リブが一方向に引き揃えられた強化繊維を含む繊維強化樹脂からなるとともに、前記補強リブは前記パネル面Ａの垂直方向に対して５°〜４５°傾斜配置されてなることを特徴とする止水パネル。
【請求項２】
前記補強リブは、前記止水パネルを立設した際の根元方向に傾斜配置した補強リブ（Ａ）を含むことを特徴とする請求項１記載の止水パネル。
【請求項３】
前記補強リブは、さらに前記止水パネルを立設した際の根元方向に対向する頂部方向に傾斜配置した補強リブ（Ｂ）を含むことを特徴とする請求項２記載の止水パネル。
【請求項４】
前記補強リブ（Ａ）と前記補強リブ（Ｂ）とが交互に配置された組合せを含むることを特徴とする請求項３記載の止水パネル。
【請求項５】
隣接する補強リブの少なくとも一方の端部同士を接合した組合せを含むことを特徴とする請求項３または４記載の止水パネル。
【請求項６】
前記止水パネルの高さ方向中心部から下半分に配置される補強リブ（Ｌｄ）の隣り合う間隔（Ｔｄ）が、上半分に配置される補強リブ（Ｌｕ）の隣り合う間隔（Ｔｕ）よりも狭いことを特徴とする請求項１〜５いずれかに記載の止水パネル。
【請求項７】
前記補強リブ（Ｌｄ）の厚さが、前記補強リブ（Ｌｕ）の厚さより厚いことを特徴とする請求項１〜６いずれかに記載の止水パネル。
【請求項８】
前記補強リブ（Ｌｄ）の繊維体積含有率（Ｖｆｄ）が、前記補強リブ（Ｌｕ）の繊維体積含有率（Ｖｆｕ）よりも大きいことを特徴とする請求項１〜７いずれかに記載の止水パネル。
【請求項９】
前記繊維強化樹脂を構成する強化繊維が炭素繊維であり、前記補強リブ（Ｌｄ）を構成する炭素繊維の弾性率（Ｅｄ）が、前記補強リブ（Ｌｕ）を構成する炭素繊維の弾性率（Ｅｕ）よりも大きいことを特徴とする請求項１〜８いずれかに記載の止水パネル。
【請求項１０】
前記補強リブを構成する一方向に引き揃えられた強化繊維の配向方向が、前記補強リブがパネル面Ａからパネル面Ｂに延在する方向と平行であることを特徴とする請求項１〜９いずれかに記載の止水パネル。
【請求項１１】
前記パネル面Ａ、前記パネル面Ｂおよび前記補強リブから形成される中空部にコア材が充填されてなることを特徴とする請求項１〜１０いずれかに記載の止水パネル。
【請求項１２】
請求項１〜１１のいずれかに記載の止水パネルと、前記止水パネルの長手方向両端を係止する方立とを有することを特徴とする止水装置。
【発明の詳細な説明】
【技術分野】
【０００１】
本発明は、軽量で剛性に優れ、洪水などに際し建造物等への浸水を防止するための中空構造を有する繊維強化樹脂からなる止水パネル及び止水パネルを用いた止水装置に関する。
【背景技術】
【０００２】
近年、狭い地域内に集中豪雨が多発しており、河川の決壊などによる家屋の浸水や都市部において地下鉄や地下道への浸水が問題となっている。地下街への洪水の流入を防止する方法として、地下街へと通じる降下路にワイヤにより吊り下げた止水パネルを昇降自在に配置して洪水の流入を阻止する方法が行われているが、導入コストが高いため、小さな事業所や小規模な施設や建物への普及が妨げられていた。
【０００３】
また、平常時には水防倉庫などに止水パネルを保管しておき、豪雨発生などの緊急時に水防倉庫から止水パネルを持ち出し、これを地下街へと通じる降下路に立設させた方立間に架け渡し、複数枚を適宜な高さに積み上げることで所望の高さ及び長さの止水防護柵が提案されている。河川の水量が短時間で著しく増水して河川が氾濫する危険が生じたときに緊急に設置しなければならないことが多いが、設置する可搬・可動式の止水パネルの設置は人手に頼る他なく、少ない作業者で迅速且つ簡単に設置できるように、より軽量な止水パネルが望まれてきた。その際、止水パネル自体には簡単な作業で迅速に設置できる軽量化とともに高い水圧に耐えられる強度との両立を図ることが求められてきた。
【０００４】
特許文献１（特開２０１３−２３８１４号公報）では、中空構造の樹脂製板状体と、該樹脂製板状体の表面または表面と裏面に設けられた補強体とを有する横矢板が記載され、これにより、軽量化を図ることができ、かつ、横矢板の施工性を妨げることなく、曲げ剛性を補強できるとの効果が開示されている。
【０００５】
また、特許文献２（特開２０１３−５２５９８号公報）では、炭素繊維を含有する熱硬化性樹脂複合化物を主成分とする熱硬化性樹脂層の表裏両面に、熱可塑性樹脂を主成分とする接着層とハロゲンを含有する熱可塑性樹脂を主成分とする熱可塑性樹脂層とが積層された積層体からなる面板を、発泡合成樹脂材料又はハニカムコア等から構成される芯材の厚み方向両側に重合してなる構成の壁面パネルが記載され、これにより、軽量でありながら面と垂直な方向の応力に対して撓み難く、剛性に優れた壁面パネルを構成することができ、また、軽量で取り扱い易く且つ安価に作製可能であり、その両側縁を親杭間に掛け渡し、複数枚を積み重ねることにより、高い水密性を実現できるとの効果が開示されている。
【０００６】
しかしながら、特許文献１や特許文献２の横矢板や壁面パネルにおいて、強度確保するために枠材や梁材を設ける構成が例示され、曲げ剛性を高め、これを親杭間に架け渡して防水防護柵を構成したときの水密性を確保しているが、横矢板や壁面パネルの軽量化を図り、さらなる止水剛性を強化することに対しては改善の余地がある。
【０００７】
また、特許文献３（特開平８−２０７１９０号公報）では、中空基板の上面板と下面板間に亘り、隣接する隔壁リブ同士が４５゜≦θ＜９０゜範囲の角度で互いに反対方向に傾斜形成されているプラスチック複合パネルが記載され、軽量であって断熱性が大きく、且つ所要の機械的強度を具備しているとの効果が開示されている。
【０００８】
しかしながら、特許文献３においては、上下面板及び隔壁リブを形成する成形材料としては、ポリオレフィン系樹脂に無機質材料を相当量混合したものを使用することが開示されているが、無機質材料パネルの軽量化を図り、さらなる止水剛性を強化する隔壁リブの構造に対しては改善の余地がある。
【先行技術文献】
【特許文献】
【０００９】
【特許文献１】特開２０１３−２３８１４号公報
【特許文献２】特開２０１３−５２５９８号公報
【特許文献３】特開平８−２０７１９０号公報
【発明の概要】
【発明が解決しようとする課題】
【００１０】
そこで本発明は、かかる従来技術の問題点に鑑み、軽量で取り扱い易く設置作業性に優れ、かつ安価に作製可能であり、さらには、水深方向の水圧差によるせん断力が外力として止水パネルに加わる場合でもパネル面と垂直な方向の応力に対して撓み難く、止水剛性に優れた止水パネルを提供することを目的とする。
【課題を解決するための手段】
【００１１】
上記課題を解決するために本発明は以下の手段を採用するものである。すなわち、
（１）水圧を受けるパネル面Ａと、前記パネル面Ａと間隔をもって対向配置された他方のパネル面Ｂとの間を複数の補強リブで連結した繊維強化樹脂からなる止水パネルであって、
前記パネル面Ａおよび前記パネル面Ｂの少なくとも一方のパネル面が織物状繊維又は編物状繊維を含む繊維強化樹脂からなり、前記補強リブが一方向に引き揃えられた強化繊維を含む繊維強化樹脂からなるとともに、前記補強リブは前記パネル面Ａの垂直方向に対して５°〜４５°傾斜配置されてなることを特徴とする止水パネル。
（２）前記補強リブは、前記止水パネルを立設した際の根元方向に傾斜配置した補強リブ（Ａ）を含むことを特徴とする（１）記載の止水パネル。
（３）前記補強リブは、さらに前記止水パネルを立設した際の根元方向に対向する頂部方向に傾斜配置した補強リブ（Ｂ）を含むことを特徴とする（２）記載の止水パネル。
（４）前記補強リブ（Ａ）と前記補強リブ（Ｂ）とが交互に配置された組合せを含むることを特徴とする（３）記載の止水パネル。
（５）隣接する補強リブの少なくとも一方の端部同士を接合した組合せを含むことを特徴とする（３）または（４）記載の止水パネル。
（６）前記止水パネルの高さ方向中心部から下半分に配置される補強リブ（Ｌｄ）の隣り合う間隔（Ｔｄ）が、上半分に配置される補強リブ（Ｌｕ）の隣り合う間隔（Ｔｕ）よりも狭いことを特徴とする（１）〜（５）いずれかに記載の止水パネル。
（７）前記補強リブ（Ｌｄ）の厚さが、前記補強リブ（Ｌｕ）の厚さより厚いことを特徴とする（１）〜（６）いずれかに記載の止水パネル。
（８）前記補強リブ（Ｌｄ）の繊維体積含有率（Ｖｆｄ）が、前記補強リブ（Ｌｕ）の繊維体積含有率（Ｖｆｕ）よりも大きいことを特徴とする（１）〜（７）いずれかに記載の止水パネル。
（９）前記繊維強化樹脂を構成する強化繊維が炭素繊維であり、前記補強リブ（Ｌｄ）を構成する炭素繊維の弾性率（Ｅｄ）が、前記補強リブ（Ｌｕ）を構成する炭素繊維の弾性率（Ｅｕ）よりも大きいことを特徴とする（１）〜（８）いずれかに記載の止水パネル。
（１０）前記補強リブを構成する一方向に引き揃えられた強化繊維の配向方向が、前記補強リブがパネル面Ａからパネル面Ｂに延在する方向と平行であることを特徴とする（１）〜（９）いずれかに記載の止水パネル。
（１１）前記パネル面Ａ、前記パネル面Ｂおよび前記補強リブから形成される中空部にコア材が充填されてなることを特徴とする（１）〜（１０）いずれかに記載の止水パネル。
（１２）（１）〜（１１）のいずれかに記載の止水パネルと、前記止水パネルの長手方向両端を係止する方立とを有することを特徴とする止水装置。
【発明の効果】
【００１２】
本発明によれば、軽量で取り扱い易く設置作業性に優れ、且つ安価に作製可能であり、さらには、水深方向の水圧差によるせん断力が外力として止水パネルに加わる場合でもパネル面と垂直な方向の応力に対して撓み難く、止水剛性に優れた止水パネルを得ることができる。
【図面の簡単な説明】
【００１３】
【図１】本発明の一実施態様に係る止水装置の全体基本構成を示す斜視図である。
【図２】本発明の一実施態様に係る止水パネルの斜視図である。
【図３】図２に示した止水パネル側面図である。
【図４】図３のＡ−Ａ’線に沿う止水パネルの横断面図である。
【図５】図３のＢ−Ｂ’線に沿う止水パネルの縦断面図である。
【図６】止水パネルの側面から水圧を受ける状態を表した概略横断面図である。
【図７】本発明の別の実施態様に係る止水パネルの補強リブの配置構成を示す概略横断面図である。
【図８】本発明のさらに別の実施態様に係る止水パネルの補強リブの配置構成を示す概略横断面図である。
【図９】本発明のさらに別の実施態様に係る止水パネルの補強リブの配置構成を示す概略横断面図である。
【図１０】本発明のさらに別の実施態様に係る止水パネルの補強リブの配置構成を示す概略横断面図である。
【図１１】止水パネルの横断面における補強リブを構成する一方向に引き揃えられた強化繊維の配向方向を示す概略横断面図である。
【図１２】止水パネルの縦斜め断面における補強リブを構成する一方向に引き揃えられた強化繊維の配向方向を示す概略縦斜め断面図である。
【図１３】中空部内５にコア材が充填された止水パネルの概略横断面図である。
【発明を実施するための形態】
【００１４】
以下に、本発明の実施の形態について順次説明する。本実施形態は本発明を実施する一例であって、本発明は本実施例形態に限定されるものではない。
【００１５】
本発明に係る止水パネルは、水圧を受けるパネル面（Ａ）２と、パネル面（Ａ）２と間隔をもって対向配置された他方のパネル面（Ｂ）３との間を複数の補強リブ４で連結した繊維強化樹脂からなる止水パネル１であって、少なくとも一方のパネル面が織物状繊維又は編物状繊維を含む繊維強化樹脂からなり、補強リブ４が一方向に引き揃えられた強化繊維を含む繊維強化樹脂からなるとともに、補強リブ４は前記パネル面（Ａ）２の垂直方向２ａに対して５°〜４５°傾斜配置されてなる構成である。
【００１６】
止水パネルを用いた止水装置１００は、図１に示すように、止水パネル１と、止水パネル１の長手方向両端を係止する方立２１とを有する装置として構成され、例えば、地下街へと通じる降下路２２の入口に立設される。止水装置１００は、例えば、豪雨発生などの緊急時に外部から流入しようとする水の流れ（矢印２３の方向）が、降下路２２へと流入する水の流れ（矢印２４の方向）を阻止する。
【００１７】
本願発明に係る止水パネル１は、図２〜図６に示すような基本構成を有している。図６に示すように、止水パネル１はパネル面（Ａ）２側に洪水等の水流、つまり水圧（矢印６の方向）を受ける。この際、水深（矢印７の方向）の水圧差によるせん断力が外力として加わり、水圧により止水パネル１はせん断変形を生じる。水圧の矢印の長さ６は水圧の強さを表している。水深が深くなるほど水圧が強くなる。従って、水深が深くなるほど止水パネル１に生じるせん断変形は大きくなり、止水パネル１に大きなたわみを生じることになる。
【００１８】
そこで、パネル面は機械特性（強度、剛性）に優れた織物状繊維又は編物状繊維を含む繊維強化樹脂により形成され、対向配置されるパネル面（Ａ）２とパネル面（Ｂ）３との間に、一方向に引き揃えられた強化繊維を含む繊維強化樹脂により形成される補強リブ４をパネル面（Ａ）２の垂直方向２ａに対して一定の傾斜角度θを持たせて複数連結するように配置することにより、せん断変形を小さくでき、止水パネル１に生じるたわみ変形を大幅に抑えることができる。傾斜角度θが５°未満ではせん断変形によるたわみ量の低減効果は少なく、４５°を超えるとたわみ量の低減効果は低下するとともに、止水パネル１自体の剛性も低下する場合がある。より好ましくは１０〜４０°、さらに好ましくは１５〜３５°である。
【００１９】
また、本発明において、補強リブ４は止水パネル１を立設した際の根元方向８に傾斜配置した補強リブ（Ａ）４ａを含むことが好ましい。
【００２０】
図６に示すように、根元方向（矢印８の方向）に傾斜した補強リブ（Ａ）４ａを配置させることにより、せん断変形を小さくでき、止水パネル１に生じるたわみ変形を抑えることができる。
【００２１】
また、本発明において、補強リブ４はさらに止水パネル１を立設した際の根元方向に対向する頂部方向９に傾斜配置した補強リブ（Ｂ）４ｂを含むことが好ましい。
【００２２】
図６に示すように、補強リブ（Ａ）４ａ及び頂部方向（矢印９の方向）に傾斜した補強リブ（Ｂ）４ｂを配置させた構成とすることにより、水圧による面圧が加わった時の歪量と応力の減少を図ることができ、より止水パネル１全体の止水剛性の向上が可能になる。
【００２３】
また、本発明において、補強リブ（Ａ）４ａと補強リブ（Ｂ）４ｂとが交互に配置された組合せを含む構成とすることが好ましい。
【００２４】
図８に示すように、補強リブ（Ａ）４ａと補強リブ（Ｂ）４ｂとが交互に反対方向に傾斜して配置させた構成とすることにより、止水パネル面（Ａ）２に水圧（矢印６）による面圧が加わった時の歪量と応力の減少を図ることができ、より止水パネル全体の止水剛性の向上とともに止水パネル１自体の強度を高めることができる。
【００２５】
また、本発明において、隣接する補強リブ４の少なくとも一方の端部同士を接合した組合せを含むことが好ましい。
【００２６】
図９に示すように、補強リブ（Ａ）４ａと隣接する補強リブ（Ｂ）４ｂの端部同士を接合した状態で連続して配置させた構成とすることにより、水圧（矢印６）に対する変形抵抗をより大きくでき、せん断変形を小さくでき、止水パネル１自体に生じるたわみ変形を抑えることができる。
【００２７】
また、本発明において、止水パネル１の高さ方向中心部から下半分に配置される補強リブ（Ｌｄ）４の隣り合う間隔（Ｔｄ）が、上半分に配置される補強リブ（Ｌｕ）４の隣り合う間隔（Ｔｕ）よりも狭い構成であることが好ましい。
【００２８】
ここで、補強リブ（Ｌｕ）、（Ｌｄ）は配置位置で区別したものであり、傾斜方向で規定した補強リブ（Ａ）、（Ｂ）の区別とは無関係である。すなわち、補強リブ（Ｌｕ）、（Ｌｄ）いずれにも、補強リブ（Ａ）、（Ｂ）が含まれ得るものである。
【００２９】
水深が深くなるほど水圧（矢印６）が強くなり、止水パネル１に生じるせん断変形は大きくなり、止水パネル１に大きなたわみを生じる。そこで、図１０に示すように、止水パネル１の高さ方向中心部から下半分に配置される複数の補強リブ（Ｌｄ）４ｄ同士の隣り合う間隔（Ｔｄ）１０が、上半分に配置される複数の補強リブ（Ｌｕ）４ｕ同士の隣り合う間隔（Ｔｕ）１１よりも狭い構成とすることにより、水深が深くなっても、その箇所でのせん断変形を小さくでき、止水パネル１自体に生じるたわみ変形を抑えることができる。
【００３０】
この補強リブ４の隣り合う間隔としては、補強リブ（Ｌｄ）４ｄ同士の隣り合う最小の間隔（Ｔｄ）１０を、補強リブ（Ｌｕ）４ｕ同士の隣り合う最大の間隔（Ｔｕ）１１の０．３〜０．８倍狭い構成とすることが好ましい。この範囲とすることによりせん断変形を小さくし、効果的に止水パネル１の止水剛性を向上させることができる。好ましくは０．３５〜０．７倍、より好ましくは０．４〜０．６倍である。
【００３１】
また、本発明において、補強リブ（Ｌｄ）４ｄの厚さが、補強リブ（Ｌｕ）４ｕの厚さより厚いことが好ましい。
【００３２】
このように構成すれば、水深が深くなっても、その箇所でのせん断変形を小さくでき、止水パネル１に生じるたわみ変形を抑えることができる。
【００３３】
補強リブ（Ｌｄ）４ｄの板厚が、補強リブ（Ｌｕ）４ｕの板厚よりも１．１〜２．２倍厚い構成が好ましい。
【００３４】
１．１倍未満であるとせん断変形を小さする効果が得にくく、２．２倍を超えると上部側の止水パネル１の止水剛性が低下する場合がある。好ましくは１．２〜２．１倍、より好ましくは１．４〜２倍である。
【００３５】
また、本発明において、補強リブ（Ｌｄ）の繊維体積含有率（Ｖｆｄ）が、補強リブ（Ｌｕ）の繊維体積含有率（Ｖｆｕ）よりも大きいことが好ましい。
【００３６】
このように構成すれば、水深が深くなっても、その箇所でのせん断変形を小さくでき、止水板に生じるたわみ変形を抑えることができる。
【００３７】
補強リブ（Ｌｄ）４ｄのＶｆｄは、補強リブ４ｕのＶｆｕよりも１．１〜１．５倍大きい構成が好ましい。１．１倍未満であるとせん断変形を小さする効果が得にくく、１．５倍を超えると上部側の止水パネル１の止水剛性が低下する場合がある。好ましくは１．２〜１．４倍である。
【００３８】
また、本発明において、繊維強化樹脂を構成する強化繊維が炭素繊維であり、補強リブ（Ｌｄ）４を構成する炭素繊維の弾性率（Ｅｄ）が、補強リブ（Ｌｕ）４を構成する炭素繊維の弾性率（Ｅｕ）よりも大きい構成であることが好ましい。
【００３９】
このように構成すれば、水深が深くなっても、その箇所でのせん断変形を小さくでき、止水板に生じるたわみ変形を抑えることができる。
【００４０】
補強リブ（Ｌｄ）４を構成する炭素繊維の弾性率（Ｅｄ）が、補強リブ（Ｌｕ）４ｕを構成する炭素繊維の弾性率（Ｅｕ）よりも１．２〜２．８倍大きい構成が好ましい。１．２倍未満であるとせん断変形を小さする効果が得にくく、２．８倍を超えると上部側の止水パネル１の止水剛性が低下する場合がある。好ましくは１．４〜２．７倍、より好ましくは１．６〜２．６倍である。
【００４１】
また、本発明において、補強リブ４を構成する一方向に引き揃えられた強化繊維の配向方向が、補強リブ４がパネル面（Ａ）２からパネル面（Ｂ）３に延在する方向と平行であることが好ましい。
【００４２】
図１１に、止水パネル１の横断面における補強リブ４を構成する一方向に引き揃えられた強化繊維の配向方向（矢印１２の方向）を、また、図１２には、止水パネル１の縦斜め断面における補強リブ４を構成する一方向に引き揃えられた強化繊維の配向方向（矢印１２の方向）を示す。配向方向１２は、補強リブ４がパネル面（Ａ）２からパネル面（Ｂ）３に延在する方向と平行とする構成により、水圧を受ける方向６からの圧縮せん断力に対し、補強リブ４の補強効果が強化され、さらなる止水パネル１の止水剛性の向上が可能になる。
【００４３】
また、本発明において、パネル面（Ａ）２、パネル面（Ｂ）３および補強リブ４から形成される中空部５にコア材１３が充填されてなることが好ましい。
【００４４】
図１３に示すように、中空部５に低見かけ比重の材料からなるコア材１３としては、例えば、発泡体やハニカム構造を有する材料からなるコア材好ましい。このようなコア材１３が設けられると、軽量性を大きく損なうことなく止水パネル１の強度、剛性を大幅に向上が可能になる。
【００４５】
炭素繊維を強化繊維とした炭素繊維強化樹脂を使用することで比強度・比弾性率が高く、止水剛性に優れた止水パネルを得ることができる。
【００４６】
繊維強化樹脂は、強化繊維とマトリクス樹脂を含んで構成されるが、マトリクス樹脂としては、エポキシ樹脂、不飽和ポリエステル樹脂、ビニルエステル樹脂、フェノール樹脂、ポリイミド樹脂などの熱硬化性樹脂や、ＡＢＳ樹脂、ナイロン樹脂、ポリエーテルエーテルケトン樹脂、ポリオレフィン樹脂などの熱可塑性樹脂を用いることができる。なかでも、炭素繊維との接着性や成形性を考慮すると、エポキシ樹脂やビニルエステル樹脂を用いることが好ましい。
【００４７】
上記のように製造された止水パネル１は、例えば図１に示したように、その長手方向両端を係止する方立２１に対し鉛直方向に立設されて止水装置１００として構成することができる。
【実施例】
【００４８】
次に、本発明を実施例によって説明するが、本発明はこれらの実施例に限定されるものではない。
【００４９】
（実施例１）
補強リブ４形成のため、斜めに傾斜した側面を有する中子としての矩形断面のマンドレルの周囲に一方向に引き揃えられた強化繊維を含む繊維強化樹脂としてのシート状炭素繊維プリプレグ（熱硬化エポキシ樹脂系ＰＡＮ系炭素繊維プリプレグ）を配してマンドレルを巻き込んだ形態の中空構造セグメントを複数個形成した。一方向に引き揃えられた強化繊維の配向方向は、補強リブ４がパネル面（Ａ）２からパネル面（Ｂ）３に延在する方向と平行となるようにマンドレルを巻き込んだ。ここで、平行とは、±５°以内のズレを含む態様を指す。
【００５０】
パネル面（Ａ）２及びパネル面（Ｂ）３形成のため、別途、繊維強化樹脂層としての平織りのシート状炭素繊維プリプレグ（熱硬化エポキシ樹脂系ＰＡＮ系炭素繊維プリプレグ）一部が下型の内面に沿って配置され、炭素繊維プリプレグの残りの部分が開かれた状態にて、複数個の中空構造セグメントを、下型の内面に沿って配置された炭素繊維プリプレグ上に単縦列に延在するように敷き詰めた。
【００５１】
所定の複数個の中空構造セグメントを敷き詰めた後、複数個の中空構造セグメントを包括して、上記開かれた状態の炭素繊維プリプレグの残りの部分を折り返すように閉じ、複数個の中空構造セグメントを包括して炭素繊維プリプレグにより被覆した。
【００５２】
次いで、上記状態にて、下型に対し上型を閉じ、型締めし、型締めされた上型及び下型と型内の複数個の中空構造セグメント及び炭素繊維プリプレグを、オートクレーブで加圧・加熱した。
【００５３】
その後、上型を開き、炭素繊維プリプレグにより被覆された複数個の中空構造セグメントを脱型し、次いで、中空構造セグメント内に配されていた中子としてのマンドレルを全て取出し、図２〜図６に示した基本構成を有する止水パネル１が完成した。
【００５４】
止水パネル１は、長さ３４００ｍｍ、高さ５６０ｍｍ、幅５０ｍｍであった。止水パネル面（Ａ）２及び止水パネル面（Ｂ）３の板厚は１．６ｍｍ、補強リブの板厚は１．６ｍｍであった。また、補強リブ４は止水パネル１を立設した際の根元方向８に傾斜角度θを１０°とした。６つの補強リブ４の間隔は略８０ｍｍの等間隔とした。
【００５５】
（実施例２）
補強リブ４は止水パネル１を立設した際の根元方向８への傾斜角度θを４５°とした以外は実施例１と同様にして図６に示すような止水パネル１を作成した。
【００５６】
（実施例３）
補強リブ４は根元方向８への傾斜角度θを３５°とした以外は実施例１と同様にして図６に示すような止水パネル１を作成した。
【００５７】
（実施例４）
根元方向８への傾斜角度θを３５°とした補強リブ４ａを４つ、および根元方向に対向する頂部方向９への傾斜角度θを３５°とした補強リブ４ｂを２つ配置した以外は実施例１と同様にし、図７に示すような止水パネル１を作成した。
【００５８】
（実施例５）
根元方向８への傾斜角度θを３０°とした補強リブ４ａと、頂部方向９への傾斜角度θを３０°とした補強リブ４ｂを隣接するように交互に配置した以外は実施例１と同様にし、図８に示すような止水パネル１を作成した。
【００５９】
（実施例６）
根元方向８への傾斜角度θを３５°とした補強リブ４ａと、頂部方向９への傾斜角度θを３５°とした補強リブ４ｂを隣接するように交互に配置し、隣接する補強リブ４の一方の端部同士を接合した以外は実施例１と同様にし、図９に示すような止水パネル１を作成した。
【００６０】
（実施例７）
止水パネル１の高さ方向中心部から下半分に配置される補強リブ（Ｌｄ）４ｄ同士の最小間隔（Ｔｄ）１０を５０ｍｍとし、上半分に配置される補強リブ（Ｌｕ）４ｕ同士の最大間隔（Ｔｕ）１１を１２０ｍｍとし、補強リブ（Ｌｄ）４ｄ同士の最小間隔（Ｔｄ）１０は補強リブ（Ｌｕ）４ｕ同士の最大間隔（Ｔｕ）１１の約０．４倍として配置した以外は実施例３と同様にし、図１０に示すような止水パネル１を作成した。
【００６１】
（実施例８）
止水パネル１の高さ方向中心部から下半分に配置される補強リブ４の厚さを３．２ｍｍ、上半分に配置される補強リブ４の厚さを１．６ｍｍとし、下半分に配置される補強リブ４の厚さは上半分に配置される補強リブ４の厚さよりも２倍厚い構成として配置した以外は実施例３と同様にし、図６に示すような止水パネル１を作成した。
【００６２】
（実施例９）
止水パネル１の高さ方向中心部から下半分に配置される補強リブ（Ｌｄ）４ｄの繊維体積含有率（Ｖｆｄ）を６７体積％とし、上半分に配置される補強リブ（Ｌｕ）４ｕの繊維体積含有率（Ｖｆｕ）を５６体積％とした。ＶｆｄはＶｆｕよりも１．２倍大きい構成とした以外は実施例３と同様にし、図６に示すような止水パネル１を作成した。
【００６３】
（実施例１０）
止水パネル１の高さ方向中心部から下半分に配置される補強リブ（Ｌｄ）４ｄを構成する炭素繊維の弾性率（Ｅｄ）を１５０ＧＰａとし、上半分に配置される補強リブ（Ｌｕ）４ｕを構成する炭素繊維の弾性率（Ｅｕ）を４００ＧＰａとした。補強リブ（Ｌｄ）４ｄを構成する炭素繊維の弾性率（Ｅｄ）は、補強リブ（Ｌｕ）４ｕを構成する炭素繊維の弾性率（Ｅｕ）よりも約２．６倍大きい構成とした以外は実施例３と同様にし、図６に示すような止水パネル１を作成した。
【００６４】
（比較例１）
補強リブ４は傾斜角度を持たせずに、傾斜角度θを０°とした以外は実施例１と同様にして止水パネル１を作成した。
【００６５】
（たわみ量評価方法）
作成した止水パネルのたわみ量の評価方法は、浸水防止用設備の浸水防止性能試験方法ＪＳＴＭ  Ｋ  ６４０１−２：２０１６に準拠して評価した。比較例１に対して、改善されたたわみ量割合を以下に示す。
・実施例１：４．５％改善
・実施例２：５％改善
・実施例３：７．５％改善
・実施例４：８．５％改善
・実施例５：９％改善
・実施例６：１０％改善
・実施例７：８％改善
・実施例８：９％改善
・実施例９：９．５％改善
・実施例１０：９％改善
【産業上の利用可能性】
【００６６】
本発明に係る止水パネルは、あらゆる止水装置の止水パネルとして適用可能である。
【符号の説明】
【００６７】
１  止水パネル
２  パネル面Ａ
２ａ  パネル面Ａの垂直方向
３  パネル面Ｂ
４、４ａ、４ｂ、４ｄ、４ｕ  補強リブ
５  中空部
６  水圧方向
７  水深方向
８  止水パネル１を立設した際の根元方向
９  根元方向に対向する頂部方向
１０  リブ間の間隔
１１  リブ間の間隔
１２  強化繊維の配向方向
１３  コア材
２１  方立
２２  降下路
２３、２４  水の流れ
１００  止水装置
【図１】
2019015033.tif 000003
【図２】
2019015033.tif 000004
【図３】
2019015033.tif 000005
【図４】
2019015033.tif 000006
【図５】
2019015033.tif 000007
【図６】
2019015033.tif 000008
【図７】
2019015033.tif 000009
【図８】
2019015033.tif 000010
【図９】
2019015033.tif 000011
【図１０】
2019015033.tif 000012
【図１１】
2019015033.tif 000013
【図１２】
2019015033.tif 000014
【図１３】
2019015033.tif 000015